(57)【要約】【課題】収納袋内の空気の吸引に要す時間がキャニスタ型掃除機と同等であり故障しにくく小型軽量であり同じ口で吸引と吹出とを切り替えることができる吸引吹出空気ポンプ、及び、収納袋内の空気の排出に要す時間が短時間である収納袋用吸引バルブを提供する。【解決手段】導入口から吸引した空気を排出口から径方向外向きに吹出す駆動機構部と、駆動機構部を入れ子状に覆う外殻部と、導入口に流入する空気の流入流路の接続先を切り替える流路切替部と、を備え、流路切替部は、空気の出入口となる中心出入口と外側出入口とが形成され、駆動機構部に対して所定の回転位置に配置されたとき、空気の流入流路を中心出入口に接続し排出流路を外側出入口に接続することによって中心出入口を吸引状態とし、異なる所定の回転位置に配置されたとき、流入流路を外側出入口に接続し排出流路を中心出入口に接続することによって中心出入口を吹出状態とする、吸引吹出空気ポンプ。【選択図】図１
2019090401.tif 000002
【特許請求の範囲】
【請求項１】
電動モータとファンとを有し、ファンへ空気を導入する導入口とファンから吹出された空気を排出する排出口とが形成され、電動モータによって回転されたファンにより導入口から吸引した空気を排出口から径方向外向きに吹出す駆動機構部と、
略円筒状に形成され、駆動機構部を適宜な間隔をおいて入れ子状に覆うように配設され、排出口から径方向外向きに吹出された空気を内面に沿って一方端側に案内する外殻部と、
導入口に流入する空気の流入流路の接続先と外殻部によって案内された空気の排出流路の接続先とをそれぞれ切り替える流路切替部と、
を備える吸引吹出空気ポンプであって、
流路切替部は、ドーム状本体と、ドーム状本体の中心に連通してドーム状本体の凸方向に向かって筒状に延びるアダプタと、を有し、駆動機構部に対して回転可能であり、
ドーム状本体は、アダプタから連通されて空気の出入口となる中心出入口と、中心出入口よりも径方向外側に位置して空気の出入口となる外側出入口と、が形成され、
流路切替部は、
駆動機構部に対して所定の回転位置に配置されたとき、駆動機構部が吸引する空気の導入口に繋がる流入流路を中心出入口に接続し駆動機構部が排出し外殻部によって案内された空気の排出流路を外側出入口に接続することによって中心出入口を吸引状態とし、
駆動機構部に対して前記回転位置とは異なる所定の回転位置に配置されたとき、駆動機構部が吸引する空気の導入口に繋がる流入流路を外側出入口に接続し駆動機構部が排出し外殻部によって案内された空気の排出流路を中心出入口に接続することによって中心出入口を吹出状態とする、
ことを特徴とする、吸引吹出空気ポンプ。
【請求項２】
最上部を構成する取手部を更に備え、
流路切替部のドーム状本体は、外殻部の一方端近傍を塞ぐように外殻部の内面と一体的に接続され、
外殻部は、他方端縁を取手部と回転可能に接合し、
駆動機構部は、取手部に連結され、
流路切替部は、外殻部が駆動機構部に対して回転されることによって、流入流路の接続先と排出流路の接続先とを切り替えることを特徴とする、請求項１に記載の吸引吹出空気ポンプ。
【請求項３】
外側出入口は、全体形状が中心出入口を取り囲むような半円弧の扇状にドーム状本体が切り欠かれて形成され、半円弧の扇状の全体形状に沿うように全体形状の内側に半円弧状に延びるブレード羽が１枚又は複数枚並列して設けられ、
ブレード羽は、断面がＬ字形に形成され、Ｌ字形の一方端がドーム状本体の凹側に向き、Ｌ字形の他方端がドーム状本体の外周側に向いて設けられていることを特徴とする、請求項１又は請求項２に記載の吸引吹出空気ポンプ。
【請求項４】
吸引空気ポンプによって排気される収納袋の吸引バルブであって、
吸引バルブは、互いに結合されたベースおよびカバーと、
前記ベースおよび前記カバーの間に介在し収納袋内への空気の侵入を阻止する逆止弁と、を備え、
前記ベースは、弁口を有し、
前記カバーは、吸引空気ポンプのスカートノズルアタッチメントに連通可能な排気口を有し、前記排気孔より適宜な間隔をおいて、スカートノズルアタッチメントの筒口を嵌める凹部が配設されたことを特徴とする、収納袋用吸引バルブ。
【請求項５】
前記凹部は、カバーのドームと主体との間に形成された排気口を跨いでドームと主体とを連続する連結部に形成された溝により構成された、請求項４に記載の収納袋用吸引バルブ。
【発明の詳細な説明】
【技術分野】
【０００１】
本発明は、空気の吸引及び吹出を切り替えることができる吸引吹出空気ポンプに関し、並びに、収納袋内の空気を吸引して排気するために用いられる収納袋用吸引バルブに関する。
【背景技術】
【０００２】
従来、一般家庭において、衣類や寝具等（以下「収納物」という。）を収納袋に収納し、その後、当該収納袋内の空気を吸引して収納物を圧縮するために、家庭用のキャニスタ型電動掃除機（以下「キャニスタ型掃除機」という。）が用いられている。
【０００３】
また、収納袋には、通常、排気口を有する吸引バルブが設けられている。収納袋の使用者は、当該排気口にキャニスタ型掃除機の吸気ノズルを連結し、キャニスタ型掃除機の吸引力によって、収納袋内の空気を吸引して外部に排出する。
【先行技術文献】
【特許文献】
【０００４】
【特許文献１】特開２０１２−９１８４８
【特許文献２】特開２０１４−１１７６１５
【発明の概要】
【発明が解決しようとする課題】
【０００５】
しかし、吸引力が排気口の下方の収納物の表面に集中的に作用して、当該表面が排気口に吸着し、その結果、収納袋内の空気の排出に、多大な時間を要するという問題があった。そこで、収納物の表面が排気口を塞ぐことを防止するために、特許文献１では、排気弁のベースの下面に多数のリブを設けて当該リブ間に空気通路を形成する方式が提案されている。しかしなお、収納物（例えば布団）の表面の生地が、リブ間の空気通路内に入り込みやすく、当該生地によって空気流路の一部が塞がれるので、収納袋内の空気の排出に時間を要する。
【０００６】
また、例えば、特許文献２に記載のキャニスタ型真空掃除機は、高出力の電動モータが用いられていることから、発熱量が多く、収納袋内の空気を吸引する過程において特に収納袋内の気圧が真空に近づくにつれて故障しやすいという問題があった。
【０００７】
また、キャニスタ型掃除機は、収納袋内の空気を吸引する空気ポンプとしては大型で重く、持ち運びや取り扱いに困難を伴うものであるという問題があった。
【０００８】
また、近時、一人暮らし世帯の増加に伴い、キャニスタ型掃除機を所有していない世帯が増加し、代わりに、ハンドクリーナ型電動掃除機（以下「ハンド型掃除機」という。）を所有している世帯が増加している。ハンド型掃除機は、人の手に持って使われることとの関係から小型小出力の電動モータが用いられており、収納袋内の空気の吸引に時間を要するという問題があった。さらに、ハンド型掃除機の先端に取り付けられる吸引用ノズルは、細く、収納袋の吸引バルブと適合しないという問題があった。
【０００９】
また、キャニスタ型掃除機又はハンド型掃除機はいずれであっても、吸引しかできないことから、用途及び機能が限定的であるという問題があった。
【００１０】
そこで本発明は、上記の問題点に鑑みてなされたものであり、収納袋内の空気の吸引に要す時間がキャニスタ型掃除機と同等の時間であり、故障しにくく、小型軽量であり、同じ口から吸引と吹出とを切り替えて使用することができる吸引吹出空気ポンプ、及び、収納袋内の空気の吸引に要す時間が短時間である収納袋用吸引バルブを提供することを目的とする。
【課題を解決するための手段】
【００１１】
この発明に係る吸引吹出空気ポンプは、電動モータとファンとを有し、ファンへ空気を導入する導入口とファンから吹出された空気を排出する排出口とが形成され、電動モータによって回転されたファンにより導入口から吸引した空気を排出口から径方向外向きに吹出す駆動機構部と、略円筒状に形成され、駆動機構部を適宜な間隔をおいて入れ子状に覆うように配設され、排出口から径方向外向きに吹出された空気を内面に沿って一方端側に案内する外殻部と、導入口に流入する空気の流入流路の接続先と外殻部によって案内された空気の排出流路の接続先とをそれぞれ切り替える流路切替部と、を備える吸引吹出空気ポンプであって、流路切替部は、ドーム状本体と、ドーム状本体の中心に連通してドーム状本体の凸方向に向かって筒状に延びるアダプタと、を有し、駆動機構部に対して回転可能であり、ドーム状本体は、アダプタから連通されて空気の出入口となる中心出入口と、中心出入口よりも径方向外側に位置して空気の出入口となる外側出入口と、が形成され、流路切替部は、駆動機構部に対して所定の回転位置に配置されたとき、駆動機構部が吸引する空気の導入口に繋がる流入流路を中心出入口に接続し駆動機構部が排出し外殻部によって案内された空気の排出流路を外側出入口に接続することによって中心出入口を吸引状態とし、駆動機構部に対して前記回転位置とは異なる所定の回転位置に配置されたとき、駆動機構部が吸引する空気の導入口に繋がる流入流路を外側出入口に接続し駆動機構部が排出し外殻部によって案内された空気の排出流路を中心出入口に接続することによって中心出入口を吹出状態とする、ことを特徴とする、吸引吹出空気ポンプである。
【００１２】
この発明に係る吸引吹出空気ポンプによれば、導入口に流入する空気の流入流路の接続先と外殻部によって案内された空気の排出流路の接続先とをそれぞれ切り替える流路切替部は、駆動機構部に対して所定の回転位置に配置されたとき、駆動機構部が吸引する空気の導入口に繋がる流入流路を中心出入口に接続し駆動機構部が排出し外殻部によって案内された空気の排出流路を外側出入口に接続することによって中心出入口を吸引状態とするので、駆動機構部が生じる吸引力によって、中心出入口に連通する筒状のアダプタに任意のノズルアタッチメントを装着することで、任意の収納袋の収納袋用吸引バルブから収納袋内の空気を吸引することができる。すなわち、任意の収納袋に収納された収納物を圧縮することができる。
【００１３】
さらに、この発明に係る吸引吹出空気ポンプによれば、流路切替部は、駆動機構部に対して前記回転位置とは異なる所定の回転位置に配置されたとき、駆動機構部が吸引する空気の導入口に繋がる流入流路を外側出入口に接続し駆動機構部が排出し外殻部によって案内された空気の排出流路を中心出入口に接続することによって中心出入口を吹出状態とするので、吹出された空気を当てたい対象物に中心出入口を向けることによって、対象物に積もった埃、塵等を吹き飛ばすことができる。
【００１４】
さらに、この発明に係る吸引吹出空気ポンプによれば、流路切替部は、駆動機構部に対して所定の回転位置又は前記回転位置とは異なる回転位置とすることによって、すなわち、駆動機構部に対して回転されることによって、導入口に流入する空気の流入流路の接続先と外殻部によって案内された空気の排出流路の接続先とをそれぞれ切り替えることができ、この切替は駆動機構部が作動している最中においても流路切替部を回転することのみによって可能であることから、同じ出入口である中心出入口を吸引状態と吹出状態とに任意の時に切り替えて使用することができる。
【００１５】
さらに、この発明に係る吸引吹出空気ポンプによれば、流路切替部は、ドーム状本体と、ドーム状本体の中心に連通してドーム状本体の凸方向に向かって筒状に延びるアダプタと、を有し、駆動機構部に対して回転可能であり、ドーム状本体は、アダプタから連通されて空気の出入口となる中心出入口が形成されているので、アダプタに任意のノズルアタッチメントを装着することで、吸引時においては任意の収納袋の吸引バルブに適合しながら外気を吸引することなく収納袋内の空気のみを吸引することができ、または、吹出時においては流速を加速して勢いよく空気を吹出すことができる。したがって、駆動機構部の電動モータが小型小出力のものであっても、収納袋の吸引バルブから確実に収納袋内の空気を吸引することにより、キャニスタ型掃除機と同等の吸引時間で収納袋内の空気を吸引することができ、または、より確実に対象物に積もった埃、塵等を吹き飛ばすことができる。
【００１６】
さらに、この発明に係る吸引吹出空気ポンプによれば、小型小出力の電動モータを用いることができるので、発熱量が少なく故障しにくいものとなるとともに、吸引吹出空気ポンプ自体も小型軽量となり取り扱いが容易である。
【００１７】
この発明に係る吸引吹出空気ポンプは、最上部を構成する取手部を更に備え、流路切替部のドーム状本体は、外殻部の一方端近傍を塞ぐように外殻部の内面と一体的に接続され、外殻部は、他方端縁を取手部と回転可能に接合し、駆動機構部は、取手部に連結され、流路切替部は、外殻部が駆動機構部に対して回転されることによって、流入流路の接続先と排出流路の接続先とを切り替えることを特徴としてもよい。
【００１８】
この発明に吸引吹出空気ポンプによれば、最上部を構成する取手部を更に備え、流路切替部のドーム状本体は、外殻部の一方端近傍を塞ぐように外殻部の内面と一体的に接続され、外殻部は、他方端縁を取手部と回転可能に接合し、駆動機構部は、取手部に連結され、流路切替部は、外殻部が駆動機構部に対して回転されることによって、流入流路の接続先と排出流路の接続先とを切り替えることができるので、使用者は吸引吹出空気ポンプの底部側に位置することとなる流路切替部に触れずとも外殻部を取手部に対して回転することによって、流路切替部が駆動機構部に対して回転し、流路切替部の中心出入口の吸引状態と吹出状態とを切り替えることができる。
【００１９】
この発明に係る吸引吹出空気ポンプは、外側出入口は、全体形状が中心出入口を取り囲むような半円弧の扇状にドーム状本体が切り欠かれて形成され、半円弧の扇状の全体形状に沿うように全体形状の内側に半円弧状に延びるブレード羽が１枚又は複数枚並列して設けられ、ブレード羽は、断面がＬ字形に形成され、Ｌ字形の一方端がドーム状本体の凹側に向き、Ｌ字形の他方端がドーム状本体の外周側に向いて設けられていることを特徴としてもよい。
【００２０】
この発明に係る吸引吹出空気ポンプによれば、外側出入口は、全体形状が中心出入口を取り囲むような半円弧の扇状にドーム状本体が切り欠かれて形成されているので、中心出入口が吸引状態であるときの吸引された空気の排出が中心出入口から径方向外側で行われるとともに、半円弧の扇状の全体形状に沿うように全体形状の内側に半円弧状に延びるブレード羽が１枚又は複数枚並列して設けられ、ブレード羽は、断面がＬ字形に形成され、Ｌ字形の一方端がドーム状本体の凹側に向き、Ｌ字形の他方端がドーム状本体の外周側に向いて設けられているので、外側出入口から排出される空気をより外周側に向かって斜めに排出することができる。したがって、外側出入口から排出された高温の空気が、収納袋の構成部材である吸引バルブ又は熱可塑性樹脂部材に悪影響を与えることを避けることができる。
【００２１】
この発明に係る収納袋用吸引バルブは、吸引空気ポンプによって排気される収納袋の吸引バルブであって、吸引バルブは、互いに結合されたベースおよびカバーと、ベースおよびカバーの間に介在し収納袋内への空気の侵入を阻止する逆止弁と、を備え、ベースは、弁口を有し、カバーは、吸引空気ポンプのスカートノズルアタッチメントに連通可能な排気口を有し、排気孔より適宜な間隔をおいて、スカートノズルアタッチメントの筒口を嵌める凹部が配設されたことを特徴とする、収納袋用吸引バルブである。
【００２２】
この発明に係る収納袋用吸引バルブは、凹部は、カバーのドームと主体との間に形成された排気口を跨いでドームと主体とを連続する連結部に形成された溝により構成されていてもよい。
【発明の効果】
【００２３】
本発明に係る吸引吹出空気ポンプによれば、収納袋内の空気の吸引に要す時間がキャニスタ型掃除機と同等の時間であり、故障しにくく、小型軽量であり、同じ口から吸引と吹出とを切り替えて使用することができ、さらに、本発明に係る収納袋用吸引バルブによれば、収納袋内の空気の吸引に要す時間が短時間である。
【図面の簡単な説明】
【００２４】
【図１】本発明に係る吸引吹出空気ポンプ及び収納袋用吸引バルブの使用状態を示す斜視図である（なお、外殻部を透明化しその輪郭線を一点鎖線として示している）。
【図２】本発明に係る吸引吹出空気ポンプの外観の六面図である。
【図３】本発明に係る吸引吹出空気ポンプの外殻部を除く分解斜視図である。
【図４】本発明に係る吸引吹出空気ポンプの流路切替部の平面図である。
【図５】本発明に係る吸引吹出空気ポンプの流路切替部の側面図である。
【図６】本発明に係る吸引吹出空気ポンプの流路切替部の断面図ないし斜視図であって、（Ａ）は図４のＶＩＡ−ＶＩＡ断面図であり、（Ｂ）は図４のＶＩＢ−ＶＩＢ断面図であり、（Ｃ）は斜視図である。
【図７】本発明に係る吸引吹出空気ポンプの外殻部を示す図であり、（Ａ）は斜視図であり、（Ｂ）は底面図である。
【図８】本発明に係る吸引吹出空気ポンプの駆動機構部及び電源コード保護部を示す斜視図である（なお、一点鎖線は、外殻部の輪郭線を示している）。
【図９】本発明に係る吸引吹出空気ポンプの駆動機構部のモータユニットケースの底部近傍の形状を示す図８のＶＩＩＩ−ＶＩＩＩ断面斜視図である。
【図１０】本発明に係る吸引吹出空気ポンプの駆動機構部及び取手部の底面図である。
【図１１】本発明に係る吸引吹出空気ポンプのモータユニットの側面図である。
【図１２】本発明に係る吸引吹出空気ポンプの中心出入口が吸引状態であるときの、駆動機構部及び流路切替部の位置関係並びに空気の流れを示す縦断面図である。
【図１３】本発明に係る吸引吹出空気ポンプの中心出入口が吹出状態であるときの、駆動機構部及び流路切替部の位置関係並びに空気の流れを示す縦断面図である。
【図１４】本発明の一実施の形態の収納袋の吸引バルブの断面図である。
【図１５】吸引バルブの分解斜視図である。
【図１６】ベースの下面図である。
【図１７】別のスカートノズルアタッチメントを使用した状態を示す断面図である。
【図１８】別のスカートノズルアタッチメント（図１７よりも小径のもの）を使用した状態を示す断面図である。
【発明を実施するための形態】
【００２５】
（吸引吹出空気ポンプ）
以下、本発明に係る吸引吹出空気ポンプ１０の好ましい態様を添付図面を参照しつつ説明する。
図１は、本発明に係る吸引吹出空気ポンプ１０及び収納袋用吸引バルブ１００１の使用状態を示す斜視図である。なお、図１は、吸引と吹出とを切り替えている途中の外殻部２０を透明化しその輪郭線を一点鎖線として示している。また、図１において、ＩＮ−ＯＵＴの矢印は、透明化している外殻部２０及び流路切替部１００の回転による中心出入口１１２の吸引状態又は吹出状態を切り替える過程を示すものである。図２は、本発明に係る吸引吹出空気ポンプ１０の外観の六面図であって、図２（Ａ）は、Ｙ＋から見た正面図、図２（Ｂ）は、Ｙ−から見た正面図、図２（Ｃ）は、平面図、図２（Ｄ）は、底面図、図２（Ｅ）は、Ｘ＋から見た正面図、図２（Ｆ）は、Ｘ−から見た正面図である。なお、図２は、外殻部２０及び流路切替部１００の回転位置が、中心出入口１１２が吸引状態となっているときの外殻部２０及び流路切替部１００の回転位置として示している。図３は、本発明に係る吸引吹出空気ポンプ１０の外殻部２０を除く分解斜視図である。なお、図３の駆動機構部及び流路切替部の位置関係は、中心出入口が吹出状態であるときの駆動機構部及び流路切替部の位置関係となっている。図４は、本発明に係る吸引吹出空気ポンプ１０の流路切替部１００の平面図である。図５は、本発明に係る吸引吹出空気ポンプ１０の流路切替部１００の側面図である。図６は、本発明に係る吸引吹出空気ポンプ１０の流路切替部１００の断面図ないし斜視図であって、図６（Ａ）は図４のＶＩＡ−ＶＩＡ断面図であり、図６（Ｂ）は図４のＶＩＢ−ＶＩＢ断面図であり、図６（Ｃ）は斜視図である。図７は、本発明に係る吸引吹出空気ポンプの外殻部を示す図であり、（Ａ）は斜視図であり、（Ｂ）は底面図である。図８は、本発明に係る吸引吹出空気ポンプ１０の駆動機構部４０及び電源コード保護部１７０を示す斜視図である。なお、図８の一点鎖線は、外殻部２０の輪郭線を示している。図９は、本発明に係る吸引吹出空気ポンプ１０の駆動機構部４０のモータユニットケース８０の底部近傍の形状を示す図８のＶＩＩＩ−ＶＩＩＩ断面斜視図である。なお、図９では、モータユニット６０を省略して図示している。図１０は、本発明に係る吸引吹出空気ポンプの駆動機構部及び取手部の底面図である。図１１は、本発明に係る吸引吹出空気ポンプ１０のモータユニット６０の側面図である。
【００２６】
ここで、本明細書において、吸引吹出空気ポンプに関する方向を、図１に従って次のように定義する。吸引吹出空気ポンプの中心から見て電源コードが延びる向きをＸ＋向きと、電源ボタンの向きをＸ−向きと、取手部の配置される向きを上向きと、外殻部の脚の向きを下向きと、定義する。また、上下Ｘ平面においてＸ＋向きを右向きとしたときの、手前側をＹ−向きと、向こう側をＹ＋向きと、定義する。また、上下方向を軸方向、Ｘ＋Ｘ−方向ないしＹ＋Ｙ−方向を径方向、軸を周る方向を周方向と、定義する。
【００２７】
図１に示すように、吸引吹出空気ポンプ１０は、主に、衣類や寝具等の収納物（図示しない）を圧縮するための収納袋Ｂにおいて、収納袋用吸引バルブ１００１を介して収納袋Ｂ内の空気を吸引するための電動の空気ポンプである。吸引吹出空気ポンプ１０は、外殻部２０と取手部３０と駆動機構部４０と流路切替部１００とノズルアタッチメント１４０とを備える。
【００２８】
図２及び図７に示すように、外殻部２０は、吸引吹出空気ポンプ１０の最外側を保護するとともに吸引吹出空気ポンプ１０が自立するように脚を形成するケースである。外殻部２０は、略円筒状ないし略フード状の形状に形成されている。外殻部２０は、下端である一方端と、上端である他方端と、中空状に開放している。外殻部２０は、後述する駆動機構部４０を適宜な間隔をおいて入れ子状に覆うように配設される。すなわち、図８及び図１２に示すように、外殻部２０は、駆動機構部４０との間で、空気を案内するのに必要な空間を確保できる程度の間隔をおいて、駆動機構部４０と二重構造を構成している。また、外殻部２０は、駆動機構部４０の排出口から径方向外向きに吹出された空気を内面に沿って一方端側に案内する。すなわち、外殻部２０は、駆動機構部４０の外周面に沿って空気を案内するための内面を有する。外殻部２０の内面と駆動機構部４０との間には、空気が流れるための適宜な間隔を備えた空気流通路が形成されている。外殻部２０の他方端縁である上端縁は、後述する取手部３０の支持部３４の下端縁と回転可能に接合する。外殻部２０の上下方向の中間と下端との間に、後述する流路切替部１００が嵌合するように接続している。例えば、外殻部２０の上下方向の中間と下端との間であって、図７（Ｂ）に示すようにその円筒状の内面の１２０度ずつ離れた異なる３つの位置にビス受け２９が設けられて、図６（Ａ）に示すようにビスｓによって流路切替部１００が接続されている。外殻部２０は、上端側を取手部３０に、下端側を流路切替部１００に、塞がれることによって、内側と外側との空気を遮断する。また、外殻部２０は、上下方向において取手部３０と流路切替部１００との間で、内面で空気を案内することができる。外殻部２０の下端縁は、下向きに開放していると同時に、その側面の３つの異なる部分が半円状に切りかかれて形成されている。すなわち、外殻部２０の下端縁は、例えば、図７（Ｂ）の底面視において互いに１２０度ずつ離れ、図７（Ａ）で上向きに凹の３つの半円状に切りかかれた凹部２２と、半円と半円との間で下向きに伸び先端が直線状に形成されている部分である脚２４と、を有する。凹部２２は、後述する流路切替部１００の外側出入口１２２から排出された空気を、さらに吸引吹出空気ポンプ１０の外側に排出する開口である。脚２４は、吸引吹出空気ポンプ１０を机等の平面又は収納袋Ｂ上で自立させる脚である。図２（Ａ）に示すように、外殻部２０は、上端縁に取手部３０に対する回転位置を示すための目盛りが付されている。
【００２９】
図２に示すように、取手部３０は、吸引吹出空気ポンプ１０の最上部を構成し、上向きに凸かつＸ方向に伸びるアーチ状に形成されたアーチ部３２とアーチ部３２を支える支持部３４とを有する。支持部３４は、図２（Ｃ）の平面視において、円形状に形成されている。支持部３４は、アーチ部３２がＸ方向にのびる方向の一端側すなわちＸ−側に電源ボタン１８０が設けられ、他端側すなわちＸ＋側に電源コード保護部１７０が設けられている。支持部３４は、円状の下端縁に、外殻部２０の円状の上端縁を回転可能に接合する。また、支持部３４は、後述する駆動機構部４０を固定するように連結するための、ビス受け３８、３９を有する。ビス受け３８は、図３に示すように、支持部３４のＸ−側であって、その内側に形成されている。ビス受け３９は、図３に示すように、支持部３４のＸ＋側であって、その内側に形成されている。支持部３４には、外殻部２０の回転位置すなわち後述する流路切替部１００の回転位置を示すための目盛りであって、Ｙ＋側に「ＩＮ」、Ｙ−側に「ＯＵＴ」の縦線の目盛りが付されている。すなわち、取手部３０の「ＩＮ」と「ＯＵＴ」との目盛りは、平面視において１８０度反対側の位置にある。そして、後述するように、取手部３０の「ＩＮ」に外殻部２０の目盛りが合わされたときに、流路切替部１００の中心出入口１１２は吸引状態となり、取手部３０の「ＯＵＴ」に外殻部２０の目盛りが合わされたときに、流路切替部１００の中心出入口１１２は吹出し状態となる。
【００３０】
図３、図８に示すように、駆動機構部４０は、吸引吹出空気ポンプ１０の動力を発生するものであり、モータユニット６０とモータユニットケース８０とを有する。図１１に示すように、モータユニット６０は、電動モータ６２とファン７０とを有する。モータユニットケース８０は、モータユニット６０を包むケースである。モータユニットケース８０は、ファン７０へ空気を導入する導入口８４とファン７０から吹出された空気を排出する排出口８６、９６とが形成されている。ファン７０は、図１１に示すように、電動モータ６２の下方に連結されており、電動モータ６２よりも大きな径を備えている。ファン７０は、その上方に空気排出口７６を備え、その下方に空気流入口７４を備えている。駆動機構部４０は、電動モータ６２によって回転されたファン７０により導入口８４から吸引した空気を排出口８６、９６から径方向外向きに吹出す。また、駆動機構部４０は、外殻部２０に内包されるように、取手部３０の下側に連結されている。
【００３１】
電動モータ６０は、例えば、交流モータであり、電圧１１０Ｖ消費電力３００Ｗ耐熱クラスＥの電動モータである。図１１に示すように、ファン７０は、斜流ファンであり、電動モータ６０の駆動軸にその軸が連結されている。ファン７０は、電動モータ６０によって軸を回転されることにより、軸方向に空気流入口７４から吸引した空気を、空気流入口７４と反対側にある空気排出口７６から軸に対して斜め且つ軸周りの径方向外向きに吹出す。吸引吹出空気ポンプ１０では、ファン７０の上側（取手部３０側）に電動モータ６０が配設されている。
【００３２】
ファン７０は、ファンフード７２に包まれて空気の流れを整流されることが好ましい。図１１に示すように、ファンフード７２は、ファン７０の外形状に略相似する形状であって、ファン７０の吹出口である上面を開放しファン７０の吸引口である下面を先細に開口している、「足」のない漏斗形状である。なお、「足」とは、漏斗のうちの管状の部分である。
【００３３】
図３、図８に示すように、モータユニットケース８０は、モータユニット６０をケース状に包み、略円筒状であり、モータユニット６０に吸引される空気とモータユニット６０から排出される空気とを、吸引吹出空気ポンプ１０内で分離又は遮断する。モータユニットケース８０は、そのＸ−側を構成するケース第１構成部８２とＸ＋側を構成するケース第２構成部９２とを有する。すなわち、モータユニットケース８０は、ケース第１構成部８２とケース第２構成部９２とがＸ方向に一体的に接続されて構成されている。モータユニットケース８０は、その内面形状が、電動モータ６０の外鉄心周辺においてモータユニット６０の外面形状と略一致して、電動モータ６０を支持するとともに、電動モータ６０の外鉄心の下側とファン７０の上側との間で電動モータ６０の軸周辺に、ファン７０から吹出された空気を排出する排出口８６、９６が形成されている。また、モータユニットケース８０は、モータユニット６０のファン７０の下側であって中心軸よりもＸ−側に、ファン７０へ空気を導入する導入口８４が形成されている。具体的には、ケース第１構成部８２は、導入口８４と排出口８６とが形成されており、ケース第２構成部９２は、四分の一球状の第１隔壁板９４と排出口９６とが形成されている。導入口８４は、ファン７０の空気流入口７４に向けて吸引吹出空気ポンプ１０の外側から流入した空気を案内するように構成されている。排出口８６は、ファン７０の空気排出口７６より排出された空気をＸ―側で外殻部２０とケース第１構成部８２との間に形成された空気流通路に導くように外方に向けて開口している。同様に、排出口９６は、ファン７０の空気排出口７６より排出された空気をＸ＋側で外殻部２０とケース第２構成部９２との間に形成された空気流通路に導くように外方に向けて開口している。
モータユニットケース８０は、取手部３０に連結されて固定されている。例えば、ケース第１構成部８２の上端縁近傍には、図３に示すように、ビス受け８９が形成されており、図１０に示すように、ビス受け８９にビス（図示しない）が挿通され、さらに当該ビスが取手部３０のビス受け３８に挿通されて、モータユニットケース８０は、Ｘ−側で取手部３０と連結されて固定されている。同様に、ケース第２構成部９２の上端縁近傍には、図３に示すように、ビス受け９９が形成されており、図１０に示すように、ビス受け９９にビス（図示しない）が挿通され、さらに当該ビスが取手部３０のビス受け３９に挿通されて、モータユニットケース８０は、Ｘ＋側で取手部３０と連結されて固定されている。すなわち、外殻部２０は、取手部３０に対して周方向に回転可能であるのに対し、駆動機構部４０は、取手部３０に対して周方向に回転できない。
【００３４】
更に、図８、図９に示すように、ケース第１構成部８２は、ファン７０の吸引側であって、導入口８４をＸ−側で周方向に半円筒状に取り囲むように、ケース側半円筒隔壁板８８を有する。ケース側半円筒隔壁板８８は、後述する流路切替部１００の切替側円筒隔壁板１１６と同じ曲率半径で曲がっている。また、ケース側半円筒隔壁板８８の下端縁は、流路切替部１００の切替側円筒隔壁板１１６の上端縁と、上下位置が一致し、相互に摺動することができる。そして、ケース側半円筒隔壁板８８は、後述するように、流路切替部１００の中心出入口１１２から導入口８４に進入する空気と、外殻部２０のＸ−側の内面に案内されて流路切替部１００近傍まで到達した空気と、を遮断する。
【００３５】
また、ケース第１構成部８２の導入口８４は、その開口に簾状のスリットである第１構成部スリット８５が形成されている。第１構成部スリット８５は、流路切替部１００の中心出入口１１２から導入口８４に進入する空気に、ファン７０を容易に通過できない大きな埃等の異物が含まれている場合に、空気を通しながらもその異物の進入を阻止するものである。
【００３６】
更に、図８に示すように、ケース第２構成部９２は、第１隔壁板９４をＸ＋側で半円弧状に取り囲むように、第２構成部スリット９５を有する。第２構成部スリット９５は、後述する流路切替部１００の中心出入口１１２が吹出状態となっているときに、中心出入口１１２から異物が吸引吹出空気ポンプ１０内に進入することを阻止するものである。
【００３７】
流路切替部１００は、導入口８４に流入する空気の流入流路の接続先と外殻部２０によって案内された空気の排出流路の接続先とをそれぞれ切り替える部材である。流路切替部１００は、駆動機構部４０の下側であって導入口８４近傍に配設されている。流路切替部１００は、駆動機構部４０に対して回転可能である。流路切替部１００は、ドーム状本体１１０と、ドーム状本体１１０の中心に連通してドーム状本体１１０の凸方向に向かって筒状に延びるアダプタ１３０と、を有する。ドーム状本体１１０は、アダプタ１３０から連通されて空気の出入口となる中心出入口１１２と、中心出入口１１２よりも径方向外側に位置して空気の出入口となる外側出入口１２２と、が形成されている。また、ドーム状本体１１０は、中心出入口１１２をドーム状本体１１０の凹側に四分の一球状に覆う第２隔壁板１１４を有する。アダプタ１３０は、吸引吹出空気ポンプ１０によって中心出入口１１２から吸引する時にはアダプタ１３０からスカート状に広がるスカートノズルアタッチメント１５０が取付可能であり、吹出時にはアダプタ１３０から先端にかけて細くなる先細ノズルアタッチメント１６０が取付可能である。
【００３８】
流路切替部１００のドーム状本体１１０は、その凸を下向きに向けて、外殻部２０の上下方向の中間位置よりも下端側すなわち外殻部２０の一方端近傍を塞ぐように外殻部２０の内面に一体的に接続されている。これにより、外殻部２０が取手部３０及び駆動機構部４０に対して周方向に回転されることによって、流路切替部１００は、取手部３０及び駆動機構部４０に対して回転される。
そして、ドーム状本体１１０に形成されている中心出入口１１２と外側出入口１２２とは、外殻部２０が駆動機構部４０に対して回転することによって、駆動機構部４０の導入口８４と排出口８６、９６とに接続する流路を切り替えられる。
【００３９】
外側出入口１２２は、図３、図４等に示すように、全体形状が中心出入口１１２を取り囲むような半円弧の扇状にドーム状本体１１０が切り欠かれて形成されている。そして、外側出入口１２２は、半円弧の扇状の全体形状に沿うように全体形状の内側に半円弧状に延びるブレード羽１２６が１枚又は複数枚、例えば２枚、径方向に並列して設けられている。
ブレード羽１２６は、図６（Ａ）に示すように、断面がＬ字形に形成され、Ｌ字形の一方端がドーム状本体１１０の凹側に向き、Ｌ字形の他方端がドーム状本体１１０の外周側に向いて設けられている。
【００４０】
さらに、図４、図５及び図６に示すように、ドーム状本体１１０は、その凹側で、中心出入口１１２を中心とする円筒状の切替側円筒隔壁板１１６と、その切替側円筒隔壁板１１６を中心出入口１１２を通るように２つの半円筒に分ける２枚の切替側立隔壁板１１８と、を有する。また、ドーム状本体１１０は、その外周縁の内面に、１２０度ずつ離れた異なる３つの位置にビス受け１１９が設けられている。ビス受け１１９は、外殻部２０の内面に設けられているビス受け２９と、平面視において一致し、側面視において嵌合するように、形成されている。そして、ドーム状本体１１０すなわち流路切替部１００は、ビスｓによって、ビス受け１１９とビス受け２９とが接続されて、外殻部２０に接続される。
【００４１】
切替側円筒隔壁板１１６の曲率半径は、外側出入口１２２の最外側の曲率半径と一致するとともに、ケース第１構成部８２のケース側半円筒隔壁板８８の曲率半径とする。また、切替側円筒隔壁板１１６の上端縁は、ケース側半円筒隔壁板８８の下端縁と、上下位置が一致し、相互に摺動することができる。そして、切替側円筒隔壁板１１６は、後述するように、流路切替部１００の中心出入口１１２又は外側出入口１２２から導入口８４に進入する空気と、外殻部２０のＸ−側の内面に案内されて流路切替部１００近傍まで到達した空気と、をケース側半円筒隔壁板８８と相まって遮断する。さらに、切替側円筒隔壁板１１６は、ドーム状本体１１０近傍の空気を周方向に案内する。
【００４２】
切替側立隔壁板１１８は、切替側円筒隔壁板１１６の内面と内面とに接続されているとともに、第２隔壁板１１４に接続されている。切替側立隔壁板１１８は、第２隔壁板１１４の凹面側には進入せず、凸面側にその曲面に沿いながら連続的に接続する。切替側立隔壁板１１８は、流路切替部１００近傍であって切替側円筒隔壁板１１６より径方向内側の、中心出入口１１２から吸引又は吹出される空気と、外側出入口１２２から吸引又は吹出される空気と、混入することがないよう、遮断する。言い換えれば、切替側立隔壁板１１８は、ドーム状本体１１０近傍の空気であって切替側円筒隔壁板１１６よりも径方向内側の空気を、Ｘ＋側とＸ−側とに、第２隔壁板１１４と相まって、遮断する。
【００４３】
（作用効果）
流路切替部１００は、駆動機構部４０に対して所定の回転位置に配置されたとき、すなわち、外殻部２０の目盛りが取手部３０の「ＩＮ」に合わされたとき、すなわち、外側出入口１２２が吸引吹出空気ポンプ１０のＸ＋側になるように配置されたとき、駆動機構部４０が吸引する空気の導入口８４に繋がる流入流路を中心出入口１１２に接続し駆動機構部４０が排出し外殻部２０によって案内された空気の排出流路を外側出入口１２２に接続する。
このとき、流路切替部１００の第２隔壁板１１４と駆動機構部４０の第１隔壁板９４とは、吸引吹出空気ポンプ１０においてＸ＋側で、その四分の一球状の凸面を突き合わせるように、配置されている。言い換えると、中心出入口１１２が吸引状態にあるときの、流路切替部１００の第２隔壁板１１４と駆動機構部４０の第１隔壁板９４とは、上下方向に面対称となっている。この配置状態を、回転中心を通る上下Ｘ平面で切断した、図１２に示す断面図で見た場合、第１隔壁板９４と第２隔壁板１１４とは、くの字状に折れ曲がるように配置され、くの字状のＸ−側で中心出入口１１２から導入口８４に繋がる空気の流路を形成するとともに、くの字状のＸ＋側で当該流路と遮断する排出口８６、９６から外側出入口１２２に繋がる空気の流路を形成する。
【００４４】
空気ａｉｒの視点で説明すると、図１２に示すように、中心出入口１１２が吸引状態にあるとき、中心出入口１１２から進入する空気ａｉｒは、吸引吹出空気ポンプ１０のＸ＋側を四分の一球状に覆う第２隔壁板１１４の内面に案内されて、流路切替部１００のドーム状本体１１０のＸ−向きに向かう。そして、ドーム状本体１１０の切替側円筒隔壁板１１６と駆動機構部４０のケース側半円筒隔壁板８８とで連続的に形成される円筒状の隔壁の内面に案内されて、導入口８４から、電動モータ６２によって回転されたファン７０によって、空気は吸引される。このとき、ドーム状本体１１０内において、図１２には図示されていないが、切替側立隔壁板１１８が切替側円筒隔壁板１１６よりも径方向内側の空気をＸ＋側とＸ−側とで遮断するため、第２隔壁板１１４が及ばない位置においても、吸引する空気がＸ＋側に流入せず、導入口８４に流入する。そして、空気は、駆動機構部４０の排出口８６、９６からそれぞれ径方向外向きに吹出される。吹出された空気は、外殻部２０の内面に沿って、外殻部の一方端側である下側に案内される。Ｘ＋側で排出口９６からドーム状本体１１０の内面近傍に到達した空気は、第１隔壁板９４と第２隔壁板１１４とで形成されたくの字状の隔壁に阻害されて、中心出入口１１２には進入せず、くの字状のＸ＋側に位置する外側出入口１２２から排出される。このときも、切替側立隔壁板１１８が切替側円筒隔壁板１１６よりも径方向内側の空気をＸ＋側とＸ−側とで遮断するため、第２隔壁板１１４が及ばない位置においても、排出する空気がＸ−側すなわち導入口８４ないし中心出入口１１２に流出しない。また、切替側円筒隔壁板１１６よりも径方向外側かつＸ−側で排出口８６からドーム状本体１１０の内面近傍に到達した空気は、ケース側半円筒隔壁板８８と切替側円筒隔壁板１１６とで連続的に形成される円筒状の隔壁の外面に阻害されて、導入口８４ないし中心出入口１１２には流出せず、ドーム状本体１１０及び外殻部２０の内面に周方向に案内されて、Ｘ＋側に位置する外側出入口１２２まで到達し、外側出入口１２２から排出される。
【００４５】
したがって、流路切替部１００は、駆動機構部４０に対して所定の回転位置に配置されたとき、駆動機構部４０が生じる吸引力によって、駆動機構部４０が吸引する空気の導入口８４に繋がる流入流路を中心出入口１１２に接続して、中心出入口１１２を吸引状態とするので、中心出入口１１２に連通する筒状のアダプタ１３０に任意のノズルアタッチメント例えばスカートノズルアタッチメント１５０を装着することで、任意の収納袋Ｂの収納袋用吸引バルブ１００１から収納袋Ｂ内の空気を吸引することができる。
【００４６】
ここで、外側出入口１２２から排出される空気は、ブレード羽１２６によって、下向きの流れからやや外周側に向いた下向き（下向き且つ径方向外向き）に流れを変えられ、外殻部２０の凹部２２から、吸引吹出空気ポンプ１０の外側に排出される。外側出入口１２２から排出される空気は、発熱したモータユニット６０の内部ないし近傍を通過しているため、外気よりも高温となる場合がある。この場合においても、外側出入口１２２から排出された高温の空気は、収納袋Ｂの構成部材である吸引バルブ１００１又は熱可塑性樹脂部材（符号なし）に悪影響を与えることを避けることができる。そして、排出された空気は、外殻部２０の凹部２２から吸引吹出空気ポンプ１０の外側に排出される。
【００４７】
一方、流路切替部１００は、駆動機構部４０に対して前記回転位置とは異なる所定の回転位置に配置されたとき、すなわち、外殻部２０の目盛りが取手部３０の「ＯＵＴ」に合わされたとき、すなわち、外側出入口１２２が吸引吹出空気ポンプ１０のＸ−側になるように配置されたとき、駆動機構部４０が吸引する空気の導入口８４に繋がる流入流路を外側出入口１２２に接続し駆動機構部４０が排出し外殻部２０によって案内された空気の排出流路を中心出入口１１２に接続する。
このとき、駆動機構部４０の第１隔壁板９４は、吸引吹出空気ポンプ１０においてＸ＋側に位置する一方で、流路切替部１００の第２隔壁板１１４は、Ｘ−側に配置される。言い換えると、流路切替部１００の第２隔壁板１１４と駆動機構部４０の第１隔壁板９４とは、それぞれの四分の一球状の凸面が屈曲するように、配置されている。さらに言い換えると、中心出入口１１２が吹出状態にあるときの、流路切替部１００の第２隔壁板１１４と駆動機構部４０の第１隔壁板９４とは、回転中心に対して、点対称となっている。この配置状態を、回転中心を通る上下Ｘ平面で切断した、図１３に示す断面図で見た場合、第１隔壁板９４と第２隔壁板１１４とは、Ｓ字状に折れ曲がるような配置状態となり、Ｓ字状のＸ−側で外側出入口１２２から導入口８４に繋がる空気の流路を形成するとともに、Ｓ字状のＸ＋側で当該流路と遮断する排出口８６、９６から中心出入口１１２に繋がる空気の流路を形成する。
【００４８】
空気ａｉｒの視点で説明すると、図１３に示すように、中心出入口１１２が吹出状態にあるとき、外側出入口１２２から進入する空気ａｉｒは、吸引吹出空気ポンプ１０のＸ−側を四分の一球状に覆う第２隔壁板１１４の外面及び切替側円筒隔壁板１１６及びケース側半円筒隔壁板８８に案内されて、流路切替部１００のドーム状本体１１０のＸ＋向き（中心）に向かう。このとき、ドーム状本体１１０内において、図１３には図示されていないが、切替側立隔壁板１１８が切替側円筒隔壁板１１６よりも径方向内側の空気をＸ＋側とＸ−側とで遮断するため、第２隔壁板１１４が及ばない位置においても、吸引する空気がＸ＋側に流入せず、導入口８４に流入する。そして、導入口８４から、電動モータ６２によって回転されたファン７０によって、空気は吸引される。そして、空気は、駆動機構部４０の排出口８６、９６からそれぞれ径方向外向きに吹出される。吹出された空気は、外殻部２０の内面に沿って、外殻部の一方端側である下側に案内される。Ｘ＋側で排出口９６からドーム状本体１１０の内面近傍に到達した空気は、第１隔壁板９４と第２隔壁板１１４とで形成されたＳ字状の隔壁に阻害されて、外側出入口１２２には進入せず、ドーム状本体１１０の内面に案内されてＳ字状のＸ＋側に位置し且つドーム状本体１１０の中心に連通する中心出入口１１２及びアダプタ１３０から排出すなわち吹出される。このときも、切替側立隔壁板１１８が空気をＸ＋側とＸ−側とで遮断するため、第２隔壁板１１４が及ばない位置においても、排出する空気がＸ−側すなわち外側出入口１２２に流出しない。また、切替側円筒隔壁板１１６よりも径方向外側かつＸ−側で排出口８６からドーム状本体１１０の内面近傍に到達した空気は、ケース側半円筒隔壁板８８と切替側円筒隔壁板１１６とで連続的に形成される円筒状の隔壁の外面に阻害されて、外側出入口１２２ないし導入口８４には流出せず、ドーム状本体１１０及び外殻部２０の内面に周方向にＸ＋側にまで案内されて、中心出入口１１２から排出される。
【００４９】
したがって、流路切替部１００は、駆動機構部４０に対して異なる所定の回転位置に配置されたとき、駆動機構部４０が生じる吹出力によって、駆動機構部４０が排出し外殻部２０によって案内された空気の排出流路を中心出入口１１２に接続して、中心出入口１１２を吹出状態とするので、吹出された空気を当てたい対象物に中心出入口１１２を向けることによって、対象物に積もった埃、塵等を吹き飛ばすことができる。
さらに、中心出入口１１２に連通する筒状のアダプタ１３０に先細ノズルアタッチメント１６０を装着することで、吹出された空気の速度をさらに加速し、より確実に対象物に積もった埃、塵等を吹き飛ばすことができる。
【００５０】
上記の吸引状態と吹出状態との切替は、駆動機構部４０が作動している最中においても流路切替部１００を回転することのみによって可能であることから、使用者の意思に従い任意の時に同じ出入口である中心出入口１１２を吸引状態と吹出状態とに切り替えて使用することができる。
【００５１】
また、アダプタ１３０に任意のノズルアタッチメント１４０を装着することで、吸引時においては任意の収納袋Ｂの吸引バルブ１００１に適合しながら収納袋Ｂ内の空気を吸引することができ、または、吹出時においては流速を加速して勢いよく空気を吹出すことができる。したがって、駆動機構部４０の電動モータ６２が小型小出力のものであっても、収納袋Ｂの吸引バルブ１００１から確実に収納袋Ｂ内の空気を吸引することにより、キャニスタ型掃除機と同等の吸引時間で収納袋Ｂ内の空気を吸引することができ、または、より確実に対象物に積もった埃、塵等を吹き飛ばすことができる。
【００５２】
吸引吹出空気ポンプ１０によれば、小型小出力の電動モータ６２を用いることができるので、発熱量が少なく故障しにくいものとなるとともに、吸引吹出空気ポンプ１０自体も小型軽量となり取り扱いが容易となる。
【００５３】
（圧縮収納袋の吸引バルブ）
次に、本発明にかかる吸引吹出空気ポンプ１０によって排気される圧縮収納袋の吸引バルブの好ましい態様を添付図面を参照しつつ説明する。
図１５は吸引バルブ１００１の分解斜視図である。
吸引バルブ１００１は、布団等を圧縮して収納する圧縮収納袋１００２の開口１００３に設けられ、圧縮収納袋１００２内を空気の排出するために用いられる。
吸引バルブ１００１は、圧縮収納袋１００２の開口１００３の周縁１００３ａを内外から挟持するベース１００４およびカバー１００５と、ベース１００４およびカバー１００５の間に介在し、圧縮収納袋１００２内が負圧になってときに圧縮収納袋１００２内への空気の侵入を阻止するする逆止弁１００６と、ベース１００４の少なくとも下方を覆う、ベース１００４よりも大径の多孔質体１００７と、多孔質体１００７をベース１００４に取り付けるための取付具１００８とを備えている。
【００５４】
ベース１００４は、上面１００４ａと、下面１００４ｂと、上面１００４ａおよび下面１００４ｂに開口する弁口１００９とを有している。図１４および図１５に示すように、弁口１００９の中央部から上方に突出する筒状の弁保持部１０１０が設けられている。弁保持部１０１０は、弁口１００９内に放射状（例えば十字状）に延びる支持リブ１０１１によって支持されている。したがって、弁口１００９は、放射状の支持リブ１０１１によって複数に区画されている。
【００５５】
逆止弁１００６は、例えばシリコーンゴム等のゴムからなる弾性体により形成されている。逆止弁１００６は、弁保持部１０１０によって受けられた概ね平坦な中央部１０１２と、中央部１０１２から下方に延びる円錐状部１０１３とを備えている。
通常時は、図１４に示すように、逆止弁１００６の円錐状部１０１３の周縁１３ａが、ベース１００４の上面１００４ａにおいて、弁口１００９の周縁に形成された弁座部１００９ａに、弾性的に接触している。逆止弁１００６は、圧縮収納袋１００２内が負圧になったときに、圧縮収納袋１００２外の大気圧によって、弁口１００９の周縁に形成された弁座部１００９ａに強く押圧されることにより、弁口１００９を閉塞する。これにより、逆止弁１００６は、圧縮収納袋１００２内への空気の流通を阻止するように機能する。
【００５６】
ベース１００４は、上面１００４ａにおいて、支持リブ１０１１に連設された円環状の弁座部１００９ａが形成され、弁座部１００９ａの外周縁に、弁座部１００９ａの上面より低い位置において、環状凹部１０１４が形成されている。
そして、ベース１００４は、上面１００４ａの外周縁に沿って、図１４および図１５に示すように、環状凹部１０１４が形成されている。この環状凹部１０１４に、カバー１００５の外周縁に設けられた環状フランジ１０１５を接合させ、且つ、カバー１００５の主体部１０２０の下部に突設された略円環状の結合部１０２０ａの嵌合凹部を弁座部１００９ａの周縁に設けられた嵌合凸部に嵌合させて、ベース１００４とカバー１００５を一体化する。
このときに、環状凹部１０１４および弁座部１００９ａの間に、圧縮収納袋１００２の開口１００３の周縁１００３ａを挟持するように形成されている。
図１６に示すように、ベース１００４の下面１００４ｂには、弁口１００９を中心として放射状に延びる多数のリブ１０１６Ａ，１０１６Ｂ，１０１７が、下方に突出するように一体に設けられている。リブ１０１６Ａ，１０１６Ｂの高さは、リブ１０１７の高さよりも高くされている。高さの高いリブ１０１６Ａ，１０１６Ｂと高さの低いリブ１０１７は、周方向に交互に並んでいる。
【００５７】
また、各リブ１０１６Ａ，１０１６Ｂ，１０１７の径方向外端は、同方向に傾斜されており、これにより、吸引吹出空気ポンプ１０による空気吸引時にリブ１０１６Ａ，１０１６Ｂ，１０１７間に収納物の生地が入り込むことを、より確実に防止することができるという利点がある。
隣接するリブ１０１６Ａ，１０１６Ｂおよびリブ１０１７間に、弁口１００９から放射状に延びる通気路１０１８が形成されている。図１４に示すように、この通気路１０１８の下方を多孔質体１００７が覆っている。
【００５８】
高さの高い複数のリブ１０１６Ａ，１０１６Ｂのうちリブ１０１６Ａは、図１６に示すように、十字状に交差する状態で、上記支持リブ１０１１に連続している。また、上記十字状に交差する上記複数のリブ１０１６Ａの内端は、残りのリブ１０１６Ｂの内端やリブ１０１７の内端よりも径方向内方へ延び、被係合部１０１９を形成している。これらの被係合部１０１９に、多孔質体１００７を取り付けるための取付具１００８の係合部としてのスリット１０２８が係合されるようになっている。
【００５９】
カバー１００５は、図１５に示すように、環状の主体部１０２０と、主体部１０２０の中心に配置され主体部１０２０と放射状の連結部１０２１によって連結された円形ドーム１０２２と、主体部１０２０および円形ドーム１０２２の間に形成され、環状に配列された複数の円弧状の第１排気口１０２３と、円形ドーム１０２２に環状に配列された複数の円孔からなる第２排気口１０２４とを有している。
円形ドーム１０２２は、図１４に示すように、逆止弁１００６と対向している。円形ドーム１０２２の中央部に設けられた受け部１０２５が、逆止弁１００６の中央部１０１２を受けている。すなわち、逆止弁１００６の中央部１０１２が、カバー１００５の円形ドーム１０２２の受け部１０２５とベース１００４の弁保持部１０１０との間に挟持されている。円形ドーム１０２２に設けられた第２排気口１０２４は、逆止弁１００６の円錐状部１０１３に、上下方向に対向する位置に配置されている。
【００６０】
主体部１０２０の表面は、略々平面状である。
主体部１０２０の下面には、環状フランジ１０１５と間隔をあけて、略環状の結合部１０２０ａが垂下されており、結合部１０２０ａと環状フランジ１０１５とは、略平行でそれらの下端は略々同じ位置に達する。
主体部１０２０は、例えば、掃除器等の吸引器具のノズルの形状（部分的な凸部がある）にあわせて、部分的に凹み１０２０ｂが設けられ、主体部１０２０の表面に吸引器具のノズルを接合できるように構成されている。
【００６１】
連結部１０２１は、適宜な間隔をおいて複数条の第１連結部１０２１ａ、第２連結部１０２１ｂ、第３連結部１０２１ｃ、第４連結部１０２１ｄが、放射状に配設されている。この実施の形態においては、連結部１０２１を構成する複数の連結部１０２１の間に第１排気口１０２３が形成されるように構成されている。
第１連結部１０２１ａ、第２連結部１０２１ｂ、第３連結部１０２１ｃ及び第４連結部１０２１ｄは、第１排気口１０２３の外側において、吸引吹出空気ポンプ１０のスカートノズルアタッチメント１５０の筒口を嵌合するための凹部１０４０が環状に形成されている。
凹部１０４０は、スカートノズルアタッチメント１５０の筒口の形状が真円であることに対応して、円形ドーム１０２２の中心を中心とした円環状に構成されている。
凹部１０４０は、第１連結部１０２１ａの第１溝１０４０ａと第２連結部１０２１ｂの第２溝１０４０ｂと第３連結部１０２１ｃの第３溝１０４０ｃと第４連結部１０２１ｄの第４溝１０４０ｄにより構成されている。第１溝１０４０ａと第２溝１０４０ｂと第３溝１０４０ｃと第４溝１０４０ｄは、第１排気口１０２３の外縁より一定の間隔をおいて、円環状に配設されている。第１溝１０４０ａと第２溝１０４０ｂと第３溝１０４０ｃと第４溝１０４０ｄは、それらの溝底が主体部１０２０の上面の平面状部分と連なって平面状になっている。
第１排気口１０２３に近い側の凹部１０４０の壁と第１排気口１０２３より遠い側の凹部１０４０の壁とは、略々平行に対向しており、対向する壁の間にスカートノズルアタッチメント１５０の筒先が嵌まり込む。
【００６２】
図１４に示すように、カバー１００５の表面に形成された凹部１０４０に吸引吹出空気ポンプ１０のスカートノズルアタッチメント１５０を押し当てて、空気吸引したときに、円形ドーム１０２２の第２排気口１０２４からの空気吸引によって、逆止弁１００６の円錐状部１０１３が、円形ドーム１０２２の内面に吸着され、これにより、第２排気口１０２４が閉塞されるとともに、弁口１００９が、第１排気口１０２３を介して圧縮収納袋１００２外へ開放されるようになっている。
【００６３】
スカートノズルアタッチメント１５０が、図１７又は図１８に示すように大径となったときには、カバー１００５の環状フランジ１０１５の外側面と接して圧縮収納袋１００２内の空気を吸引して排出することができる。
【００６４】
多孔質体１００７としては、多数の連続気泡を有するスポンジ、樹脂等の発泡体、不織布、ニードルパンチされた織布、網状体、多孔質シート等を例示することができる。多孔質体１００７には、公知のダニ誘引剤が担持されていてもよい。ダニ誘引剤としては、例えばフルーツエキスを用いてなるフェロモンフレーバーを用いることができる。多孔質体１００７にダニ誘引剤を保持する方法としては、例えば液状にされたダニ誘引剤を多孔質体に含浸させて保持する方法がある。
【００６５】
多孔質体１００７には、挿通孔としての中心孔１０２６が形成されている。一方、取付具１００８は、多孔質体１００７の中心孔１０２６を挿通して、多孔質体１００７をベース１００４に取り付けるようにしている。  具体的には、取付具１００８は取付筒１０２７を有しており、その取付筒１０２７は、第１の端部１０２７ａと、第２の端部１０２７ｂとを有している。取付筒１０２７の第１の端部１０２７ａには、ベース１００４の上記十字状に配置されたリブ１０１６Ａの被係合部１０１９に、取り外し可能に係合する係合部としてのスリット１０２８が設けられている。取付筒１０２７の第１の端部１０２７ａの外周は、リブ１０１６Ｂの内端に嵌合するようになっている。また、取付筒１０２７の第２の端部１０２７ｂには、多孔質体１００７を押さえる押圧板１０２９が設けられている。
【００６６】
本実施の形態によれば、多孔質体１００７が、ベース１００４よりも大径をなして、リブ１０１６Ａ，１０１６Ｂ，１０１７の少なくとも下方（図１４に示す吸引時には下方および側方）を覆っているので、収納物（例えば布団）の表面の生地がリブ１０１６Ａ，１０１６Ｂ，１０１７間に入り込むことがない。したがって、上記生地がリブ１０１６Ａ，１０１６Ｂ，１０１７間の通気路１０１８を閉塞したり狭めたりすることがない。しかも、ベース１００４の弁口１００９の入口と多孔質体１００７とを連通するための、リブ１０１６Ａ，１０１６Ｂ，１０１７間の通気路１０１８が、非常に広い領域で多孔質体１００７と連通するので、多孔質体１００７を通しての排気を格段に円滑にすることができる。したがって、確実に短時間で排気を行うことができる。
【００６７】
圧縮収納袋１００２内の空気を排出する経路としては、上述のように、多孔質体１００７から、リブ１０１６Ａ，１０１６Ｂ，１０１７間の通気路１０１８、弁口１００９および第１排気口２３を順次に介して、圧縮収納袋１００２外へ排出される経路が主であるが、多孔質体１００７を介さずに通気路１０１８に直接至る経路が一部に存在していてもよい。
また、取付具１００８を多孔質体１００７の挿通孔としての中心孔１０２６に挿通させて、多孔質体１００７をベース１００４に容易に取り付けることができる。具体的には、取付具１００８の取付筒１０２７を多孔質体１００７の中心孔１０２６に挿通させて、取付筒１０２７の第１の端部１０２７ａの係合部としてのスリット１０２８を、十字状のリブ１０１６Ａの被係合部１０１９に係合させた状態で、取付筒１０２７の第２の端部１０２７ｂの押圧板１０２９で多孔質体１００７を押さえる。これにより、多孔質体１００７をベース１００４に容易に取り付けることができる。また、多孔質体１００７を押圧板１０２９で押さえているので、多孔質体１００７の保持が確実である。
【００６８】
また、係合部１０２８が、十字状に配置されたリブ１０１６Ａに取り外し可能に係合しているので、取付具１００８を容易にベース１００４から取り外すことができる。したがって、多孔質体１００７をベース１００４から容易に着脱することができ、多孔質体１００７に対する清掃等のメンテナンス作業を容易に行うことができる。また、使い古した多孔質体を新品の多孔質体に容易に取り替えることができる。
【００６９】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【００７０】
すなわち、例えば、駆動機構部４０は、取手部３０に固定されておらず外殻部２０と連結されて固定され、外殻部２０と共に取手部３０に対して回転可能であり、さらに、流路切替部１００は、外殻部２０と接続されておらず、取手部３０と連結されて固定されていてもよい。この場合においても、外殻部２０の取手部３０に対する周方向の回転によって、駆動機構部４０と流路切替部１００との位置関係は、上記の図１２又は図１３の位置関係となり、同様に、流路切替部１００は、導入口８４に流入する空気の流入流路の接続先と外殻部２０によって案内された空気の排出流路の接続先とをそれぞれ切り替えて、中心出入口を吸引状態又は吹出状態とすることができる。
【００７１】
また、例えば、ファン７０は、斜流ファンに限定されず、プロペラ、ターボファン、シロッコファンであってもよい。ファン７０は、これらのものであっても、ファンフード７２によって整流されることにより、空気流入口７４から空気を吸引することができ、空気排出口７６から空気を排出することができる。
【００７２】
また、例えば、収納袋内の空気の吸引に要す時間がキャニスタ型掃除機と同等の時間であり、故障しにくく、小型軽量であり、同じ口から吸引と吹出とを切り替えて使用することができるものとしての吸引吹出空気ポンプ１０は、取手部３０を備えていなくてもよい。すなわち、吸引吹出空気ポンプ１０は、外殻部２０の上端縁が塞がれて、外殻部２０が駆動機構部４０を内包しているように構成されていてもよい。
【００７３】
また、例えば、切替側立隔壁板１１８は、１枚であってもよい。ただし、１枚よりも複数枚である方が、より確実に、流路切替部１００近傍の流入流路側の空気と排出流路側の空気とを、遮断することができる。
【００７４】
また、例えば、スカートノズルアタッチメント１５０は、図１７及び図１８に示すように、任意の収納袋Ｂ又は圧縮収納袋１００２に設けられた吸引バルブの径に応じて、任意の先端の径に形成されていてもよい。これにより、任意の吸引バルブを有する収納袋Ｂ又は圧縮収納袋１００２であっても、吸引吹出空気ポンプ１０によって、確実かつ短時間にその内部の空気を吸引することができる。
【符号の説明】
【００７５】
１０  吸引吹出空気ポンプ
２０  外殻部
２２  凹部
２４  脚
３０  取手部
３２  アーチ部
３４  支持部
３８、３９  ビス受け
４０  駆動機構部
６０  モータユニット
６２  電動モータ
７０  ファン
７２  ファンフード
７４  空気流入口
７６  空気排出口
８０  モータユニットケース
８２  ケース第１構成部
８４  導入口
８５  第１構成部スリット
８６  排出口
８８  ケース側半円筒隔壁板
８９  ビス受け
９２  ケース第２構成部
９４  第１隔壁板
９５  第２構成部スリット
９６  排出口
９９  ビス受け
１００  流路切替部
１１０  ドーム状本体
１１２  中心出入口
１１４  第２隔壁板
１１６  切替側円筒隔壁板
１１８  切替側立隔壁板
１１９  ビス受け
１２２  外側出入口
１２６  ブレード羽
１３０  アダプタ
１４０  ノズルアタッチメント
１５０  スカートノズルアタッチメント
１６０  先細ノズルアタッチメント
１７０  電源コード保護部
１８０  電源ボタン
ａｉｒ  空気
ｓ  ビス
Ｂ  収納袋
１００１  吸引バルブ
１００２  圧縮収納袋
１００３  開口
１００３ａ  周縁
１００４  ベース
１００４ａ  上面
１００４ｂ  下面
１００５  カバー
１００６  逆止弁
１００７  多孔質体
１００８  取付具
１００９  弁口
１００９ａ  弁座部
１０１０  弁保持部
１０１１  支持リブ
１０１２  中央部
１０１３  円錐状部
１０１４  環状凹部
１０１５  環状フランジ
１０１６Ａ，１０１６Ｂ，１０１７  リブ
１０１８  通気路
１０１９  被係合部
１０２０  主体部
１０２０ａ  結合部
１０２０ｂ  凹み
１０２１  連結片
１０２１ａ  第１連結片
１０２１ｂ  第２連結片
１０２１ｃ  第３連結片
１０２１ｄ  第４連結片
１０２２  円形ドーム
１０２３  第１排気口
１０２４  第２排気口
１０２５  受け部
１０２６  中心孔（挿通孔）
１０２７  取付筒
１０２７ａ  第１の端部
１０２７ｂ  第２の端部
１０２８  スリット（係合部）
１０２９  押圧板
１０４０  凹部
１０４０ａ  第１溝
１０４０ｂ  第２溝
１０４０ｃ  第３溝
１０４０ｄ  第４溝
【図１】
2019090401.tif 000003
【図２】
2019090401.tif 000004
【図３】
2019090401.tif 000005
【図４】
2019090401.tif 000006
【図５】
2019090401.tif 000007
【図６】
2019090401.tif 000008
【図７】
2019090401.tif 000009
【図８】
2019090401.tif 000010
【図９】
2019090401.tif 000011
【図１０】
2019090401.tif 000012
【図１１】
2019090401.tif 000013
【図１２】
2019090401.tif 000014
【図１３】
2019090401.tif 000015
【図１４】
2019090401.tif 000016
【図１５】
2019090401.tif 000017
【図１６】
2019090401.tif 000018
【図１７】
2019090401.tif 000019
【図１８】
2019090401.tif 000020